(57)【要約】【課題】設置される条件に対して、適切な照度で照明を行うことができる照明システムを実現する制御装置を提供すること。併せて、該制御装置を使用した照明システムを提供すること。【解決手段】照明システムの動作をコントロールする制御装置１であって、前記照明システム周辺の通行量を感知する感知部１ｄと、照明システムに要求される照度を決定するマイクロコンピュータ１ａとを備え、マイクロコンピュータ１ａは、感知部１ｄで感知した照明システム周辺の通行量に基づき、照明システムに要求される照度を決定する。【選択図】図１
2008257999.tif 000002
【特許請求の範囲】
【請求項１】
照明システムの動作をコントロールする制御装置であって、
前記照明システム周辺の通行量を感知する感知手段と、
前記照明システムに要求される照度を決定する決定手段とを備え、
前記決定手段は、前記感知手段で感知した前記照明システム周辺の通行量に基づき、前記照明システムに要求される照度を決定する制御装置。
【請求項２】
前記制御装置はさらに、情報の授受を所定の通信回線を用いて行う通信手段を備え、
前記通信手段は、前記照明システムの使用目的を示す情報を受信し、
前記決定手段は、前記使用目的を示す情報に対応する照度レンジを設定し、
前記感知手段で感知した前記照明システム周辺の通行量の値に応じて、前記照度レンジ内で照度を決定することを特徴とする請求項１に記載の制御装置。
【請求項３】
前記制御装置はさらに、前記照明システムの外部からの光による照度を計測する計測手段と、
前記照明システムにおいて実現すべき照度を算出する算出手段とを備え、
前記算出手段は、前記決定手段で決定した前記照明システムに要求される照度から、前記計測手段で測定した前記照明システムの外部からの光による照度を減ずることにより、前記照明システムにより実現する照度を算出することを特徴とする請求項１又は２に記載の制御装置。
【請求項４】
前記制御装置はさらに、所定の装置が接続可能なインタフェイス手段と、
前記インタフェイス手段に接続された前記所定の装置にかかる任意のパラメータを測定する測定手段とを備え、
前記測定手段の測定結果に、前記インタフェイス手段に接続された前記所定の装置の異常を示す値が含まれていた場合は、
前記通信手段は、前記インタフェイス手段に接続された前記所定の装置の異常発生情報を、該制御装置の外部に対して配信することを特徴とする請求項１、２又は３に記載の制御装置。
【請求項５】
前記通信手段が、緊急事態の発生を示す緊急信号を受信した場合には、所定の処理を行うことを特徴とする請求項１〜４の何れか１項に記載の制御装置。
【請求項６】
請求項１〜５の何れか１項に記載の制御装置を用いて構成される照明システム。
【請求項７】
前記照明システムはさらに、前記インタフェイス手段に接続された、固体発光素子を含み構成される発光手段を備え、
前記発光手段に供給する電気エネルギーは、該照明システムに関する任意情報に基づき決定されることを特徴とする請求項６に記載の照明システム。
【請求項８】
前記照明システムはさらに、前記インタフェイス手段に接続された、前記発光手段に供給する電気エネルギーを蓄電する蓄電手段を備え、
前記測定手段は、前記発光手段の温度を測定するとともに、
前記蓄電手段が蓄電している電気エネルギー量を測定し、
該照明システムに関する前記任意情報は、
前記算出手段により算出した該照明システムにおいて実現する照度、
前記測定手段で測定された前記発光手段の温度、
前記測定手段に測定された前記蓄電手段に蓄電している電気エネルギーの量の少なくとも１つを含む情報であることを特徴とする請求項７に記載の照明システム。
【請求項９】
前記照明システムはさらに、前記インタフェイス手段に接続された、前記蓄電手段に供給するための電気エネルギーを発電する発電手段を備え、
前記制御装置は、
前記計測手段が計測した該照明システムの外部の光による照度が、所定の値より大きい場合には、前記発電手段で発電した電気エネルギーを前記蓄電手段に供給し、
前記計測手段が計測した該照明システムの外部の光による照度が、所定の値より小さい場合には、前記蓄電手段より前記発光手段に電気エネルギーを供給することを特徴とする請求項８に記載の照明システム。
【発明の詳細な説明】
【技術分野】
【０００１】
本発明は制御装置に関し、特に商用電力を使用しないスタンドアローンタイプの照明システムに適用可能な制御装置に関する。併せて、該制御装置を使用した照明システムに関する。
【背景技術】
【０００２】
近年、環境への意識向上を鑑みてか、商用電力を使用しないスタンドアローンタイプの街路灯や誘導灯として使用される照明システムが開発されている。
【０００３】
上記照明システムにおいては、太陽電池、小型風力発電機等を用いて発電を行う。発電した電気エネルギーは、一度蓄電装置（例えば、鉛電池、電気２重層コンデンサなど）に蓄積する。
【０００４】
その上で、夜間に蓄電装置に蓄えられた電気エネルギーを利用して、光源（水銀ランプ、ナトリウムランプ、発光ダイオード（以下、「ＬＥＤ」という）等）を点灯し、照明発光を行う。
【０００５】
このような状況を鑑みてか、特許文献１においては、太陽電池と、蓄電池と、ＬＥＤを使用した光源とからなる照明装置が開示されている。
【０００６】
この照明装置においては、光源を高照度で点灯する手段と、同光源を低照度で点灯する手段とを備える。その上で、昼夜判別センサや、人体検知センサ等を使用して、適宜光源を高照度で点灯する手段と、同光源を低照度で点灯する手段を切り替えるとしている。
【特許文献１】特開２００１−１７６６７号公報
【発明の開示】
【発明が解決しようとする課題】
【０００７】
しかしながら、上記特許文献１の照明装置には以下の点で実用性に疑念を感じる。
【０００８】
まず、特許文献１の照明装置においては、光源を高照度で点灯する手段と、同光源を低照度で点灯する手段を有するとあるが、該照明装置が設置される条件（使用目的、周囲の通行量等）により当然に必要な照度は異なる。
【０００９】
例えば、特許文献１の照明装置では、夜間に、人物検知センサにより人物の存在を検知したのであれば、その人数にかかわらず原則として高照度で点灯する手段となる。
【００１０】
しかしながら、人数にかかわらず人物検知センサにより人物の存在を検知するだけで、突然高照度で点灯する特許文献１の照明装置は、当該人物に不快感を与えることがしばしばある。
【００１１】
また、必要な照度はＪＩＳＺ９１１０等にもあるように、使用目的（設置施設）、周囲の通行量等により変化する。それ故、２つの手段だけでは、それに対応することは非常に困難であると考えられる。
【００１２】
本発明は、上記課題を解決するものであって、その目的は該照明システムが設置される条件に対して、適切な照度で照明を行うことができる照明システムを実現する制御装置を提供することにある。併せて、該制御装置を使用した照明システムを提供することにある。
【課題を解決するための手段】
【００１３】
上記課題は、照明システムの動作をコントロールする制御装置であって、前記照明システム周辺の通行量を感知する感知手段と、前記照明システムに要求される照度を決定する決定手段とを備え、前記決定手段は、前記感知手段で感知した前記照明システム周辺の通行量に基づき、前記照明システムに要求される照度を決定することで解決することができる。
【００１４】
本制御装置は、周囲の通行量に応じて、該制御装置がコントロールする照明システムに要求される照度を決定することができる。その為、周囲の通行量に対して適切な照明を実現することが可能となる。
【００１５】
ここで、前記制御装置はさらに、情報の授受を所定の通信回線を用いて行う通信手段を備え、前記通信手段は、前記照明システムの使用目的を示す情報を受信し、前記決定手段は、前記使用目的を示す情報に対応する照度レンジを設定し、前記感知手段で感知した前記照明システム周辺の通行量の値に応じて、前記照度レンジ内で照度を決定してもよい。
【００１６】
このようにすることにより、通信手段を利用して、該制御装置が適用される照明システムの使用目的を入力することができる。入力した使用目的に応じた照明を実現できるという効果がある。
【００１７】
ここで、前記制御装置はさらに、前記照明システムの外部からの光による照度を計測する計測手段と、前記照明システムにおいて実現すべき照度を算出する算出手段とを備え、前記算出手段は、前記決定手段で決定した前記照明システムに要求される照度から、前記計測手段で測定した前記照明システムの外部からの光による照度を減ずることにより、前記照明システムにより実現する照度を算出してもよい。
【００１８】
このようにすることにより、外部光による照度も考慮した照明を実現することができる。このため省エネルギー化に寄与することができるという効果がある。
【００１９】
ここで、前記制御装置はさらに、所定の装置が接続可能なインタフェイス手段と、前記インタフェイス手段に接続された前記所定の装置にかかる任意のパラメータを測定する測定手段とを備え、前記測定手段の測定結果に、前記インタフェイス手段に接続された前記所定の装置の異常を示す値が含まれていた場合は、前記通信手段は、前記インタフェイス手段に接続された前記所定の装置の異常発生情報を、該制御装置の外部に対して配信してもよい。
【００２０】
このようにすることにより、該制御装置が適用される、照明システムの故障を防ぐことができるという効果がある。
【００２１】
ここで、前記通信手段が、緊急事態の発生を示す緊急信号を受信した場合には、所定の処理を行ってもよい。
【００２２】
このようにすることにより、災害時などの緊急事態にも対応することができるという効果がある。
【００２３】
また、上記制御装置を組み込んで、照明システムを実現することも当然に可能である。
【００２４】
ここで、前記照明システムはさらに、前記インタフェイス手段に接続された、固体発光素子を含み構成される発光手段を備え、前記発光手段に供給する電気エネルギーは、該照明システムに関する任意情報に基づき決定されてもよい。
【００２５】
また、前記照明システムはさらに、前記インタフェイス手段に接続された、前記発光手段に供給する電気エネルギーを蓄電する蓄電手段を備え、前記測定手段は、前記発光手段の温度を測定するとともに、前記蓄電手段が蓄電している電気エネルギー量を測定し、該照明システムに関する前記任意情報は、記算出手段により算出した該照明システムにおいて実現する照度、前記測定手段で測定された前記発光手段の温度、前記測定手段に測定された前記蓄電手段に蓄電している電気エネルギーの量の少なくとも1つを含む情報であってもよい。
【００２６】
このようにすることにより、各種情報に基づき発光手段に供給する電気エネルギーを規定することができるという効果がある。
【００２７】
ここで、前記照明システムはさらに、前記インタフェイス手段に接続された、前記蓄電手段に供給するための電気エネルギーを発電する発電手段を備え、前記制御装置は、前記計測手段が計測した該照明システムの外部の光による照度が、所定の値より大きい場合には、前記発電手段で発電した電気エネルギーを前記蓄電手段に供給し、前記計測手段が計測した該照明システムの外部の光による照度が、所定の値より小さい場合には、前記蓄電手段より前記発光手段に電気エネルギーを供給してもよい。
【００２８】
このようにすることにより、周囲の照度（明るさ）に応じて蓄電手段への充電、また発光手段への電気エネルギーの供給を行うことができるという効果がある。
【発明の効果】
【００２９】
以上のように、本発明によって該照明システムが設置される条件に対して、適切な照度で照明を行うことができる照明システムを実現できる制御装置を提供することができる。併せて、該制御装置を使用した照明システムを提供することができる。
【発明を実施するための最良の形態】
【００３０】
（実施例１）
本発明の制御装置１を、図面を用いて具体的に説明する。図１は、制御装置１の機能ブロック図である。
【００３１】
制御装置１には、図１に示されるとおり、マイクロコンピュータ１ａ、メモリー１ｂ、通信部１ｃ、感知部１ｄ、インタフェイス部１ｅにより構成されるものである。
【００３２】
マイクロコンピュータ１ａは、インタフェイス部１ｅに接続された発電ユニット２、蓄電ユニット３、及び発光ユニット４間の電気エネルギーの授受を自身で実行するプログラムに基づきコントロールするものである。当該電気エネルギーの授受は、感知部１ｄ、インタフェイス部１ｅに接続された照度センサ（不図示）等各種センサから得た情報、メモリー１ｂに記憶された情報、及び後述する通信部１ｃにネットワーク５を介して受信した情報等により行われる。
【００３３】
メモリー１ｂは、マイクロコンピュータ１ａで実行するためのプログラムなどを記憶するものである。
【００３４】
通信部１ｃは、有線回線、無線回線などを介しネットワーク５に接続される。これにより、指令部（不図示）からの指示の受信、或いは制御装置１を用いて構成される照明システムの故障に係る情報のメインテナンス会社、メインテナンス作業者用のパーソナルコンピュータなど（不図示）への送信などが可能となる。
【００３５】
感知部１ｄは、周囲の通行量を感知するために供されるものである。人物感知センサ、赤外線センサ、車体センサなどで構成される。
【００３６】
インタフェイス部１ｅには、照明システムを構成するために必要な外部ユニットが接続される。例えば、発電ユニット２、蓄電ユニット３、発光ユニット４である。
【００３７】
発電ユニット２は、自然エネルギーを利用するものであって、環境に優しい発電を行うことができるものである。具体的には、太陽電池パネル、小型風力発電機などにより構成してよい。その中で発明者らは、太陽電池パネルを選択した。これは、太陽電池パネルは、発電効率に優れ、また比較的安定した発電を継続することができるという特徴があるためである。
【００３８】
蓄電ユニット３は、蓄電能力のある装置により構成されるものであって、具体的にはリチウムイオン電池、電気２重層コンデンサなどで構成される。リチウムイオン電池は、電気２重層コンデンサと比較して、同一体積あたりに多くの電気エネルギーを蓄えることができる。そのため、発光ユニット４に要求される発光強度が強い（すなわち、発光ユニット４に多くの電気エネルギーを供給する必要がある）場合には、リチウムイオン電池を選択すべきである。
【００３９】
また、電気２重層コンデンサは、非常に環境負荷が小さいという特徴がある。したがって、発光ユニット４に多くの電気エネルギーを供給する必要がない場合は、こちらを選択すべきである。その他、鉛バッテリーは安価であると言う特徴がある。また、ニッカド電池でもよく、使用目的等を総合的に勘案し、適宜選択してよい。
【００４０】
発光ユニット４は、固体発光素子４１を用いて構成される。発明者らは、電気エネルギーを光エネルギーに変換する効率が高く、また１つの素子より取り出せる光量が大きい、ＬＥＤ（ここで言う、ＬＥＤは最大定格容量０．６Ｗ以上のＬＥＤを指す）を採用した。
【００４１】
また、ＬＥＤを採用したもうひとつの理由として、それに流す電流を規定することにより、容易に調光できるということがあげられる。
【００４２】
そのため、蛍光ランプや、水銀ランプのように、要求される発光強度に合わせて交換する必要がなく、単一種のＬＥＤを使用した発光ユニット４で、幅広い要求発光強度に対応することができるというメリットがある。
【００４３】
その他、インタフェイス部１ｅには、照度センサ（不図示）などのセンサを接続してもよい。
【００４４】
次に、制御装置１の動作を図２に示すフローチャートに基づき説明する。
【００４５】
Ｓ２１において、制御装置１は、診断モードに入る。この詳細は、図３のフローチャートにより、別途説明する。
【００４６】
Ｓ２２では、診断モードにおける診断結果に保守作業を要する故障等の情報が含まれているか否かを、マイクロコンピュータ１ａにおいて判断する。含まれていれば（Ｓ２２でＹＥＳ）、Ｓ２３に進む。含まれていなければ（Ｓ２２でＮＯ）、Ｓ２４に進む。
【００４７】
Ｓ２３では、通信部１ｃより、ネットワーク５を介してメインテナンス会社、メインテナンス作業者用のパーソナルコンピュータ（不図示）に保守を求める信号を送信する。Ｓ２３において送信を行った後、制御装置１は動作を終了する。
【００４８】
Ｓ２４では、通信部１ｃに、指令部（不図示）から緊急信号が送信されているか否かの判定を行う。送信されていれば（Ｓ２４でＹＥＳ）、Ｓ２５に進む。送信されていなければ（Ｓ２４でＮＯ）、Ｓ２６に進む。
【００４９】
Ｓ２５においては、緊急モードの処理をおこなう。この詳細は、図６のフローチャートにより、別途説明する。
【００５０】
Ｓ２６においては、制御装置１を用いて構成される照明システムの外部光（ここで言う外部光とは、太陽により照射される光や、制御装置１を用いて構成される照明システム以外の照明装置から供給される光等を意味する。）による、制御装置１を用いて構成される照明システム周囲の照度を測定する。この照度の測定は、例えば、インタフェイス部１ｅに接続された照度センサ（不図示）を使用して測定してよい。測定された照度は、メモリー１ｂに記憶される。
【００５１】
また、インタフェイス部１ｅに接続された発電ユニット２を構成する太陽電池パネルや、発光ユニット４を構成する固体発光素子４１の起電力を測定することでもよい。太陽電池パネルはもとより、固体発光素子４１においても、光が照射されることにより起電力が発生する。この大きさは、照度に比例するものである。よって、太陽電池パネルや、固体発光素子４１を用いても照度を測定することができる。
【００５２】
Ｓ２７では、Ｓ２６で測定した照度レベルをマイクロコンピュータ１ａにおいて判断する。ここでは、インタフェイス部１ｅに接続された発電ユニット２において適切な発電を行うことができるレベルにあるか否かを判断する。
【００５３】
発電ユニット２を構成する太陽電池パネルにより適切な発電を行うことができる照度レベルは異なるが、例えば１０００ｌｘを判別基準とすれば、この値を越える照度が観測された場合には（Ｓ２７でＹＥＳ）、充電モード（Ｓ２８）に進む。一方、それ以下の値の照度が観測されたときは（Ｓ２７でＮＯ）、点灯モード（Ｓ２９）に進む。
【００５４】
Ｓ２８では、インタフェイス部１ｅに接続された発電ユニット２において発電した電気エネルギーにより、蓄電ユニット３を充電する。この詳細は、図７のフローチャートにより、別途説明する。
【００５５】
Ｓ２９では、インタフェイス部１ｅに接続された発光ユニット４において照明発光を行う。この詳細は、図９のフローチャートにより、別途説明する。
【００５６】
Ｓ３０では、所定の時刻であるか否かを、マイクロコンピュータ１ａにおいて判断する。これは、診断モード（Ｓ２１）は、定期的に実行する必要があるためである。
【００５７】
例えば、１日に１回所定の時刻に、診断モード（Ｓ２１）を実行する。所定の時刻であれば（Ｓ３０でＹＥＳ）、Ｓ２１に進み、それ以外であれば（Ｓ３０でＮＯ）、Ｓ２４に進む。
【００５８】
次に、診断モード（Ｓ２１）について、図３に示すフローチャートを用いて詳細に説明する。
【００５９】
Ｓ３１において、インタフェイス部１ｅに接続された発光ユニット４の電流・電圧特性、及び発光強度を測定する。発光ユニット４を構成する回路は、例えば図４のように、固体発光素子４１を所定個数（ここでは２０個）直列接続した固体発光素子列４２を所定列（ここでは３列）並列接続した回路となる。
【００６０】
発光ユニット４の最大定格容量は、メモリー１ｂに記憶されている。
【００６１】
これを基に、発光ユニット４に供給する電気エネルギーの最大値をその最大定格容量以下の範囲内（一例として、固体発光素子４１の最大定格容量を２．５Ｗとすれば、発光ユニット４の最大定格容量は１５０Ｗ）で電流値を変更し、その時の端子Ａ−Ａ’間の電圧を測定する。
【００６２】
その結果は、例えば図５のような電流・電圧特性となる。図５は、発光ユニット４に流す電流に対する、端子Ａ−Ａ’間の電圧を示す。この測定した発光ユニット４の電流・電圧特性は、メモリー１ｂに記録される。
【００６３】
また、発光ユニット４の発光強度は、上記端子Ａ−Ａ’間の電圧を測定する際に、同時にインタフェイス部１ｅに接続された照度センサ等（不図示）により測定する。その他、発光ユニット４の使用時間、充放電回数も測定される。それらの結果は、メモリー１ｂに記録される。
【００６４】
Ｓ３２においては、インタフェイス部１ｅに接続された蓄電ユニット３の劣化度を測定する。これは、蓄電ユニット３の内部抵抗値、起電力等を測定することにより行うことができる。その他、蓄電ユニット３の使用時間、充放電回数も測定される。測定された、蓄電ユニット３の内部抵抗値、起電力等は、メモリー１ｂに記録される。
【００６５】
Ｓ３３おいては、測定した各種値について評価を行う。具体的には、Ｓ３１、Ｓ３２において、夫々測定した、発光ユニット４の電流・電圧特性、発光強度、及び蓄電ユニット３の内部抵抗値、起電力等に基づく劣化度について評価を行う。
【００６６】
発光ユニット４の電流・電圧特性は、マイクロコンピュータ１ａにて、初期（新品時）に測定した値と比較し、変動の有無により評価を行う。所定量以上（例えば、２０％以上）の変動が発生すれば、何らかの故障がある可能性がある。これが発生したときは、発光ユニット４の保守が必要となるため、保守を要求する情報をメモリー１ｂに保存する。
【００６７】
発光ユニット４の発光強度は、マイクロコンピュータ１ａにて、初期（新品時）に測定した値と比較し、変動の有無により評価を行う。所定量以上（例えば、２０％以上）の変動が発生すれば、発光ユニット４の保守が必要となるため、保守を要求する情報をメモリー１ｂに保存する。
【００６８】
その他、発光ユニットの使用時間も考慮し、使用時間が所定の時間より長い場合は、保守を要求する情報をメモリー１ｂに保存する。
【００６９】
蓄電ユニット３の劣化度の評価ついては、次のように行う。まず、マイクロコンピュータ１ａは、測定した蓄電ユニット３の内部抵抗値、起電力等に基づき劣化度を表す指数を算出する。
【００７０】
この値と、初期（新品時）に算出した指数とを、マイクロコンピュータ１ａにて比較することにより評価を行う。所定値以上（例えば、２０％以上）の変動が生じていれば、蓄電ユニット３の保守が必要となるため、保守を要求する情報をメモリー１ｂに保存する。
【００７１】
次に、緊急モード（Ｓ２５）について、図６に示すフローチャートを用いて詳細に説明する。
【００７２】
Ｓ６１において、緊急事態の発生を、制御装置１を用いて構成される照明システムの周辺に存在する人々に知らせる。これは、例えば制御装置１の、インタフェイス部１ｅに接続された音声発生部（不図示）により、音声にて緊急事態（例えば、津波が発生した場合には、高台への避難を呼びかける音声）を発生することにより行う。
【００７３】
その他、インタフェイス部１ｅに接続されたパトロールライト（不図示）等を使用して知らせてもよく、発光ユニット４における発光パターンをパルス的にすることにより知らせてもよい。以上により、緊急モードの処理を終える。
【００７４】
次に、充電モード（Ｓ２８）について、図７に示すフローチャートを用いて詳細に説明する。
【００７５】
Ｓ７１において、インタフェイス部１ｅに接続された蓄電ユニット３が満充電状態であるか否かを判断する。これは、マイクロコンピュータ１ａにて、発電ユニット２から蓄電ユニット３に充電された電気エネルギー量と、蓄電ユニット３が発光ユニット４に供給した電気エネルギー量をカウントし、その差分を求めることにより、現に蓄電ユニット３に蓄積されている電気エネルギー量を算出する。算出した電気エネルギー量が、メモリー１ｂに記憶された蓄電ユニット３の所定電気エネルギー容量に対して所定の範囲の値（例えば、蓄電ユニット３の所定電気エネルギー容量を１００％とした時、算出した電気エネルギー量が８０％以上）であれば、満充電であると判断する。
【００７６】
蓄電ユニット３が満充電状態であると判断された場合（Ｓ７１でＹＥＳ）は、充電モードを終了する。認められなければ（Ｓ７１でＮＯ）、Ｓ７２に進む。
【００７７】
Ｓ７２では、インタフェイス部１ｅに接続された発電ユニット２で発電した電気エネルギーを取り出す。発明者らは、前述のように発電ユニット２として、太陽電池パネルを使用している。太陽電池パネルは、該パネル面に照射される光の照度に応じ、図８のような電流・電圧特性を有する。この中で取り出した電気エネルギーが最大となるように、マイクロコンピュータ１ａにて最適点を求め、電気エネルギーを取り出す。
【００７８】
Ｓ７３では、Ｓ７２で発電ユニット２から取り出した電気エネルギーを、インタフェイス部１ｅに接続された蓄電ユニット３に充電する。このとき、蓄電ユニット３を最適に充電できる電流・電圧に変換し充電を行うことが肝要である。これは、マイクロコンピュータ１ａの指示に基づき行う。
【００７９】
次に、点灯モード（Ｓ２９）について、図９に示すフローチャートを用いて詳細に説明する。
【００８０】
Ｓ９１では、該制御装置１を用いて構成される照明システムの使用目的等照度設定に使用する情報を取得する。使用目的は、通信部１ｃにネットワーク５を介して指令部（不図示）より送信する。または、あらかじめメモリー１ｂに入力しておいてもよい。入力された情報は、メモリー１ｂに記憶する。
【００８１】
そのほかの情報としては、任意のものであってよいが、発明者らは制御装置１を用いて構成される照明システムの周囲の通行量に関する情報を使用した。この周囲の通行量に関する情報は、感知部１ｄを用いてセンシングし、そのセンシングした回数をマイクロコンピュータ１ａによりカウントすることにより求められる。
【００８２】
ここで、感知部１ｄは、具体的には、人物検知センサ、車体センサなどで構成されるものである。
【００８３】
Ｓ９２では、インタフェイス部１ｅに接続された発光ユニット４で発光を行うことにより実現すべき照度を求める。これは、Ｓ９１において取得した、制御装置１を用いて構成される照明システムの使用目的、制御装置１を用いて構成される照明システムの周囲の通行量、及びＳ２６で測定した、制御装置１を使用して構成される照明システムの外部光（例えば、太陽により照射される光、外部の照明装置から供給される光等）による、制御装置１を用いて構成される照明システム周囲の照度等により求める。
【００８４】
実現すべき照度は、当然に制御装置１を用いて構成される照明システムが設置される条件（使用目的、周囲の通行量等）により異なる。それ故、上記のような情報を基に発光ユニット４で、照明発光を行うことにより実現すべき照度を求める。
【００８５】
まず、制御装置１を用いて構成される照明システムの使用目的、制御装置１を用いて構成される照明システムの周囲の通行量に対する必要照度を求める。これは、例えば図１０のようなテーブルを利用し、マイクロコンピュータ１ａにて求める。図１０は、制御装置１を用いて構成される照明システムの使用目的、制御装置１を用いて構成される照明システムの周囲の通行量に対する、必要照度を示すテーブルである。
【００８６】
このテーブルを使用して、まず制御装置１を用いて構成される照明システムの使用目的に応じて、照度レンジを求める。そして、制御装置１を用いて構成される照明システムの周囲の通行量に該当する照度を前記照度レンジの範囲内で決定する。
【００８７】
なお、ここでいう、周囲の通行量は任意の基準であってよいが、発明者らは、毎分５人以下を少ない、毎分５人以上１５人以下を普通、１５人以上を多いとした。
【００８８】
さらに、マイクロコンピュータ１ａにて、図１０を利用して求めた照度から、制御装置１を用いて構成される照明システムの外部光に起因する制御装置１を用いて構成される照明システム周囲の照度を差し引くことにより、発光ユニット４で発光を行うことにより実現すべき照度を求める。
【００８９】
このことにより、無駄に照度の高い照明を行うことを防ぐことができる。無駄に照度の高い照明は、蓄電ユニット３に蓄えられた電気エネルギーを無駄に消費するばかりでなく、制御装置１を用いて構成される照明システムの周辺に光害を生じさせることも危惧される。よって、上記のことを行うことが望ましい。
【００９０】
例えば、使用目的が駐車場内の照明であり、通行量が普通の必要照度は、１００ｌｘと図１０より求まる。このときの、制御装置１を用いて構成される照明システムの外部光に起因する制御装置１を用いて構成される照明システムの周囲の照度が２０ｌｘであれば、発光ユニット４で発光を行うことにより実現すべき照度は８０ｌｘとなる。
【００９１】
Ｓ９３においては、発光ユニット４などの状態に基づき、発光ユニット４に供給できる電気エネルギーの最大値の上限値を求めるための情報（例えば、発光ユニット４の破損を防ぐための情報、蓄電ユニット３に蓄えられた電気エネルギーを有効に使用するための情報）を収集する。
【００９２】
発明者らは、発光ユニット４の温度に関する情報、蓄電ユニット３に蓄えられた電気エネルギー量を、発光ユニット４に供給できる電気エネルギーの最大値の上限値を求めるための情報として収集するものとした。発光ユニット４の温度に関する情報は、温度センサ（不図示）を発光ユニット４に取り付けることにより測定した。
【００９３】
蓄電ユニット３に蓄えられている電気エネルギー量は、マイクロコンピュータ１ａにて、発電ユニット２から蓄電ユニット３に充電された電気エネルギー量と、蓄電ユニット３が発光ユニット４に供給した電気エネルギー量をカウントし、その差分を求めることにより求める。
【００９４】
Ｓ９４においては、実際に発光ユニット４に供給する電気エネルギーを決定する。ここで、発光ユニット４においては、それに流す電流値とそれに供給する電気エネルギーは、一義的に定まる（図５に示すように、発光ユニット４に流す電流と、そのＡ−Ａ’端子間の電圧は一義的に決定される。故にその積である電気エネルギーも電流値と一義的に決定される関係がある。）。したがって、電流値を規定することによって、事実上電気エネルギーを規定することができる。
【００９５】
まず、Ｓ９２で求めた発光ユニット４で発光を行うことにより実現すべき照度を実現するために必要な電流値をマイクロコンピュータ１ａにて求める。
【００９６】
これは、例えば図１１に示す対応曲線により求めることが可能である。図１１は、発光ユニット４における、それより発生する照度と、それに供給する電流値との関係を表す図である。例えば実現すべき照度が、８０ｌｘであれば、発光ユニット４に供給する電流は０．２Ａとなる。
【００９７】
次に、Ｓ９３で求めた情報に基づき、最大電流値をマイクロコンピュータ１ａにて求める。
【００９８】
まず、発光ユニット４の温度に応じ、発光ユニット４に流す電流の上限値（発光ユニット４に供給する電気エネルギー量の上限値）を規定する。発光ユニット４に使用する固体発光素子４１は、供給する電気エネルギー量に比例して、ロスとして熱が発生する。また、その温度が所定の値より高くなることにより故障へとつながる。
【００９９】
そのため、発光ユニット４の温度上昇を防ぐ必要がある。このことにより、発光ユニット４の温度に応じ、それに供給する電気エネルギー量の上限値を規定する。
【０１００】
上記のことは、図１２に示すような関係を利用して、発光ユニット４の温度に応じそれに供給する電気エネルギー量を規定することにより実現する。図１２は、発光ユニット４の温度に対して、発光ユニット４に供給する電流の上限値を示すものである。したがって、この図の斜線部が設定可能な領域である。
【０１０１】
例えば、発光ユニット４の温度が５０度であった場合には、発光ユニット４に流す電流の上限値は、０．６５Ａとなる。
【０１０２】
次に、蓄電ユニット３に蓄えられている電気エネルギー量に応じ、発光ユニット４に流す電流の上限値（発光ユニット４に供給する電気エネルギー量の上限値）を規定する。蓄電ユニット３に蓄えられている電気エネルギー量は当然に有限である。もし曇りや雨の日が続くことがあったのなら、発電ユニット２（太陽電池パネル）における発電が、十分に行うことができない。そのため、蓄電ユニット３に蓄えられている電気エネルギーが枯渇する可能性がある。
【０１０３】
そこで、発光ユニット４に供給する電気エネルギー量に上限値を設けることにより、発電ユニット２において発電が十分に行われない場合においても、蓄電ユニット３に蓄えられている電気エネルギーが枯渇することを防ぎ、発光ユニット４における発光が維持されるようにする。
【０１０４】
このことを実現するため、マイクロコンピュータ１ａにて、図１３に示すような関係を利用して、蓄電ユニット３に蓄えられる電気エネルギー量に応じ発光ユニット４に供給する電気エネルギー量を規定する。
【０１０５】
図１３は、蓄電ユニット３に蓄えられる電気エネルギー量（ここでは、満充電状態を１００％として、完全放電状態を０％として表示している。）に対する、発光ユニット４に供給する電流の上限値を示している。したがって、この図の斜線部が設定可能な領域である。
【０１０６】
例えば蓄電ユニット３に蓄えられる電気エネルギー量が６０％のときは、０．５２Ａが発光ユニット４に供給できる電流の上限となる。
【０１０７】
以上より、発光ユニット４で発光を行うことにより実現すべき照度を実現するために必要な電流値、発光ユニット４の温度により規定される電流の上限値、及び蓄電ユニット３に蓄えられている電気エネルギー量により規定される電流の上限値が求まる。この３つの求められた電流値の中で、最も小さい値であるものを採用する（前述の例であれば、発光ユニット４で発光を行うことにより実現すべき照度を実現するために必要な電流値である０．２Ａが最も小さい値であり、これが採用される。）。
【０１０８】
Ｓ９５では、実際に、Ｓ９４で決定した電流値を有する電気エネルギーにより、発光ユニット４で照明発光を行う。
【０１０９】
以上、本発明により、制御装置１を使用することにより使用目的に合わせて必要な照度を実現することができる照明システムを提供することが可能となる。使用目的や、周囲の通行量に対応して必要な照度を実現する照明を、本制御装置１を用いて構成される照明システムを用いて行うことができ、該照明システムの利用者の利便性を向上することができる。
【０１１０】
また緊急時の対応も可能であり、制御装置１を用いて構成される照明システムを使用することにより、利用者にとって、真に利便性の高い照明システムを提供することができる。
【０１１１】
（実施例２）
図１４は、制御装置１を適用した照明システム１４１の斜視図である。照明システム１４１は、支柱部１４２と、制御ボックス１４３、太陽電池パネル１４４、照明部１４５により構成される。
【０１１２】
支柱部１４２は、制御ボックス１４３、太陽電池パネル１４４、照明部１４５を取り付けるための支柱である。本照明システム１４１は、商用電力を使用しないスタンドアローン型の照明システムであるため、該照明システム１４１の外部からの電力供給は受けていない。
【０１１３】
制御ボックス１４３の中には、制御装置１と、バッテリー（不図示）が備えられている。バッテリーは、蓄電ユニット３を構成するものであって、制御装置１のインタフェイス部１ｅに接続されている。
【０１１４】
太陽電池パネル１４４は、発電ユニット２を構成するものであって、制御装置１のインタフェイス部１ｅに接続されている。
【０１１５】
照明部１４５は、発光ユニット４を構成するものであって、固体発光素子４１を用いて構成されている。
【０１１６】
ここで、制御装置１は、実施例１で説明したとおりであるため、結果として、本照明システム１４１は、利用者に大きな利便性を提供するものとなる。
【０１１７】
例えば、メインテナンス作業者用のパーソナルコンピュータ１４６との間で通信部１ｃを介して、情報の授受ができ、簡便に照明システム１４１の状況を診断することができる。この情報の授受において無線通信回線を利用すれば、メインテナンスにかかる手間が大幅に削減され、メインテナンスコストの削減にもつながる。
【０１１８】
なお、本発明の制御装置１は、上記実施例に限定されるものではなく、本発明の趣旨を逸脱しない範囲で自由に変形して実施することができることは言うまでもない。
【０１１９】
例えば、発光ユニット４に使用したＬＥＤは、それに供給する電気エネルギーが低いほうが、発光効率が高まり、それ故蓄電ユニット３に蓄積された電気エネルギーの有効利用につながる。
【０１２０】
そのため、それに供給する電気エネルギーを、最大定格容量に対して十分低い値（好ましくは、最大定格値の５０％以下）にすることが望ましいと言える。したがって、前述の好ましい範囲内に発光ユニット４に供給する電気エネルギー、すなわちそれに流す電流値を制限してもよい。
【０１２１】
また、発光ユニット４には、ＬＥＤを使用したが、有機エレクトロルミネッセンスでもよい。近年の技術革新により、効率の高いものが開発されており、ＬＥＤと同様、新しい光源として注目されている。
【産業上の利用可能性】
【０１２２】
本発明は、照明システムが設置される条件に対して、適切な照度で照明を行うことができる照明システムを実現する制御装置を提供することができる。併せて、該制御装置を使用した照明システムを提供することができる。
【図面の簡単な説明】
【０１２３】
【図１】本発明の制御装置１の機能ブロック図である。
【図２】本発明の制御装置１の動作を説明するフローチャートである。
【図３】診断モードの動作を説明するフローチャートである。
【図４】発光ユニット４の回路構成の一例である。
【図５】発光ユニット４の電流電圧特性の一例である。
【図６】緊急モードの動作を説明するフローチャートである。
【図７】充電モードの動作を説明するフローチャートである。
【図８】発電ユニット２の電流電圧特性の一例である。
【図９】点灯モードの動作を説明するフローチャートである。
【図１０】必要照度を規定するテーブルの一例である。
【図１１】発光ユニット４における、照度と、電流値の関係を表す図の一例である。
【図１２】発光ユニット４の温度に対して、発光ユニット４に供給する電流の上限値を示す図の一例である。
【図１３】蓄電ユニット３に蓄えられる電気エネルギー量に対する、発光ユニット４に供給できる電流の上限値を示す図の一例である。
【図１４】本発明の照明システム１４１の外観を示す斜視図である。
【符号の説明】
【０１２４】
１  制御装置
１ａ  マイクロコンピュータ
１ｂ  メモリー
１ｃ  通信部
１ｄ  感知部
１ｅ  インタフェイス部
２  発電ユニット
３  蓄電ユニット
４  発光ユニット
５  ネットワーク
４１  固体発光素子
４２  固体発光素子列
１４１  照明システム
１４２  支柱部
１４３  制御ボックス
１４４  太陽電池パネル
１４５  照明部
１４６  パーソナルコンピュータ
【図１】
2008257999.tif 000003
【図２】
2008257999.tif 000004
【図３】
2008257999.tif 000005
【図４】
2008257999.tif 000006
【図５】
2008257999.tif 000007
【図６】
2008257999.tif 000008
【図７】
2008257999.tif 000009
【図８】
2008257999.tif 000010
【図９】
2008257999.tif 000011
【図１０】
2008257999.tif 000012
【図１１】
2008257999.tif 000013
【図１２】
2008257999.tif 000014
【図１３】
2008257999.tif 000015
【図１４】
2008257999.tif 000016